(57)【要約】【課題】複数の調光調色モードからいずれかを選択して照明の明るさと色温度とを再現できる照明器具であって、明るさを調整したときに、煩わしい操作を強いられることが抑制された照明器具を提供する。【解決手段】照明器具１０は、光源１４ａ及び１４ｂ、電流供給回路１２、記憶部１７、入力回路１６、及び、制御回路１５を備える。制御回路１５は、入力回路１６で取得された操作指示が、選択された調光調色モードでの明るさを変更する調光指示である場合には、合成光の明るさが指示値になるように電流供給回路１２を制御し、記憶部１７に記憶された複数の調光調色モードのうちの当該調光調色モードを除く他の調光調色モードに切り替えたときに、他の調光調色モードでの合成光の明るさが指示値となり、かつ、合成光の色温度が記憶部１７に記憶された他の調光調色モードの色温度となるように、電流供給回路１２を制御する。【選択図】図２
2017004623.tif 000002
【特許請求の範囲】
【請求項１】
発光色が互いに異なる複数の光源と、
前記複数の光源に電流を供給する電流供給回路と、
前記複数の光源による合成光の明るさ及び色温度のそれぞれの設定値の組み合わせを、調光調色モードと対応づけて、複数、記憶している記憶部と、
操作指示を取得する入力回路と、
前記入力回路で取得された操作指示が複数の前記調光調色モードのいずれかの選択である場合には、選択された調光調色モードの設定値を前記記憶部から読み出し、読み出した設定値に対応する明るさ及び色温度の合成光が前記複数の光源から発せられるように、前記電流供給回路を制御する制御回路とを備え、
前記制御回路はさらに、前記入力回路で取得された操作指示が、選択された前記調光調色モードでの明るさを変更する調光指示である場合には、
前記記憶部に記憶された当該調光調色モードに対応する明るさの設定値を、指示された値である指示値に変更し、変更後の明るさの合成光が前記複数の光源から発せられるように前記電流供給回路を制御し、
複数の前記調光調色モードのうちの当該調光調色モードを除く他の調光調色モードに切り替えたときに、前記他の調光調色モードでの合成光の明るさが前記指示値となり、かつ、前記合成光の色温度が前記記憶部に記憶された前記他の調光調色モードの色温度となるように、前記電流供給回路を制御する調光連動制御を行う
照明器具。
【請求項２】
前記制御回路は、予め定められたスケジュールに従って複数の前記調光調色モードを順に切り替えていくスケジュールモードを有し、前記スケジュールモードで動作する場合に、前記調光連動制御を行う
請求項１記載の照明器具。
【請求項３】
前記制御回路は、
前記スケジュールモードで動作しているときには、前記記憶部に記憶されている前記他の調光調色モードに対応する明るさの設定値を変更することなく、前記他の調光調色モードでの合成光の明るさが前記指示値となるように前記電流供給回路を制御し、
前記スケジュールモードとは異なるモードで動作しているときには、前記入力回路で取得された操作指示が複数の前記調光調色モードのいずれかの選択である場合に、選択された調光調色モードの設定値を前記記憶部から読み出し、読み出した設定値に対応する明るさ及び色温度の合成光が前記複数の光源から発せられるように前記電流供給回路を制御する
請求項２記載の照明器具。
【請求項４】
前記光源は、ＬＥＤである
請求項１〜３のいずれか１項に記載の照明器具。
【発明の詳細な説明】
【技術分野】
【０００１】
本発明は、照明器具に関し、特に、調光及び調色が可能な照明器具に関する。
【背景技術】
【０００２】
従来、調光及び調色が可能な照明器具として、様々な技術が提案されている（例えば、特許文献１参照）。
【０００３】
特許文献１では、生活シーンに合せて、照明器具による明るさと色温度との組み合わせを複数組、モード設定情報として記憶しておく。そして、ユーザからモード設定情報の選択を受けると、選択されたモード設定情報を読み出して調光及び調色を行うことで、予め設定した明るさと色温度との組み合わせ（調光調色モード）を再現する。これにより、生活シーンに合わせた適切な光空間が演出される。
【先行技術文献】
【特許文献】
【０００４】
【特許文献１】特開２０１３−５８３９４号公報
【発明の概要】
【発明が解決しようとする課題】
【０００５】
しかしながら、特許文献１の技術では、ある調光調色モードにおいてユーザが明るさを変更した後に、他の調光調色モードに切り替えた場合に、切り替え後の調光調色モードでの明るさが再現されるために、不快に感じることがある。例えば、生活シーンに合せて、明るさは同一であるが色温度の異なる３つ調光調色モード（例えば、白色モード、勉強モード、昼光色モード）を設定したとする。その後、明るさが足りないと感じたために、勉強モードにおいて、より明るくなるように明るさの設定値を変更したとする。しかしながら、その後、勉強モードから白色モード（あるいは、昼光色モード）に切り替えたときには、勉強モードでの変更前の明るさが再現されるために、いきなり暗くなったと感じる。そのために、再び、白色モード（あるいは、昼光色モード）において、勉強モードでの変更と同様にして、より明るくなるように明るさの設定値を変更する必要が生じ、煩わしく感じる。
【０００６】
そこで、本発明は、複数の調光調色モードからいずれかを選択して照明の明るさと色温度とを再現できる照明器具であって、明るさを調整したときに、煩わしい操作を強いられることが抑制される照明器具を提供することを目的とする。
【課題を解決するための手段】
【０００７】
上記目的を達成するために、本発明に係る照明器具の一形態は、発光色が互いに異なる複数の光源と、複数の光源に電流を供給する電流供給回路と、複数の光源による合成光の明るさ及び色温度のそれぞれの設定値の組み合わせを、調光調色モードと対応づけて、複数、記憶している記憶部と、操作指示を取得する入力回路と、入力回路で取得された操作指示が複数の調光調色モードのいずれかの選択である場合には、選択された調光調色モードの設定値を記憶部から読み出し、読み出した設定値に対応する明るさ及び色温度の合成光が複数の光源から発せられるように、電流供給回路を制御する制御回路とを備え、制御回路はさらに、入力回路で取得された操作指示が、選択された調光調色モードでの明るさを変更する調光指示である場合には、記憶部に記憶された当該調光調色モードに対応する明るさの設定値を、指示された値である指示値に変更し、変更後の明るさの合成光が複数の光源から発せられるように電流供給回路を制御し、複数の調光調色モードのうちの当該調光調色モードを除く他の調光調色モードに切り替えたときに、他の調光調色モードでの合成光の明るさが指示値となり、かつ、合成光の色温度が記憶部に記憶された他の調光調色モードの色温度となるように、電流供給回路を制御する調光連動制御を行う。
【発明の効果】
【０００８】
本発明により、複数の調光調色モードからいずれかを選択して照明の明るさと色温度とを再現できる照明器具であって、明るさを調整したときに、煩わしい操作を強いられることが抑制される照明器具が実現される。
【図面の簡単な説明】
【０００９】
【図１】実施の形態における照明器具の外観図
【図２】図１に示された照明器具の回路構成を示すブロック図
【図３】図２に示された記憶部に格納されるデータの例を示す図
【図４】実施の形態における照明器具の動作を示すフローチャート
【図５】図４における調光非連動制御の詳細を示すフローチャート
【図６】図４における調光連動制御の詳細を示すフローチャート
【図７】図６に示された調光連動制御の具体例を示す図
【発明を実施するための形態】
【００１０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１１】
図１は、実施の形態における照明器具１０の外観図である。照明器具１０は、リモコン４等を用いて複数の調光調色モードからいずれかを選択して照明の明るさと色温度とを再現できる照明装置である。
【００１２】
図２は、図１に示された照明器具１０の回路構成を示すブロック図である。照明器具１０は、交流電源２から交流電力を受けて動作する調光及び調色が可能な照明装置であり、電流供給回路１２、光源１４ａ及び１４ｂ、制御回路１５、入力回路１６、並びに、記憶部１７を備える。
【００１３】
光源１４ａ及び１４ｂは、発光色が互いに異なる光源であり、例えば、それぞれ、昼光色ＬＥＤ（Ｌｉｇｈｔ  Ｅｍｉｔｔｉｎｇ  Ｄｉｏｄｅ）、電球色ＬＥＤ等である。
【００１４】
電流供給回路１２は、制御回路１５からの指示に従って、光源１４ａ及び１４ｂは、複数の光源１４ａ及び１４ｂに電流を供給する電流源であり、整流回路１２ａと、ＤＣ−ＤＣコンバータ１２ｂと、トランジスタ１２ｃ及び１２ｄとを備える。
【００１５】
整流回路１２ａは、交流電源２から供給される交流電圧を整流する回路であり、例えば、ダイオードブリッジ等である。トランジスタ１２ｃ及び１２ｄは、それぞれ、光源１４ａ及び１４ｂと直列に接続され、光源１４ａ及び１４ｂに流れる電流の大きさを制御する。ＤＣ−ＤＣコンバータ１２ｂは、整流回路１２ａで整流された直流電圧をチョッピングして光源１４ａ及び１４ｂに印加する直流電圧に変換し、光源１４ａ及び１４ｂに直流電流を供給する回路である。このとき、ＤＣ−ＤＣコンバータ１２ｂは、制御回路からの指示に従って、トランジスタ１２ｃ及び１２ｄの制御端子に与える電圧を調整することで、光源１４ａ及び１４ｂのそれぞれに流れる電流を制御する。これによって、光源１４ａ及び１４ｂによる合成光の明るさ及び色温度を調整する。
【００１６】
記憶部１７は、複数の光源１４ａ及び１４ｂによる合成光の明るさ及び色温度のそれぞれの設定値の組み合わせを、調光調色モードと対応づけて、複数、記憶している記憶装置であり、例えば、不揮発性のメモリである。なお、記憶部１７は、調光調色モードだけでなく、後述するスケジュールモードフラグ及びスケジュールデータ等も記憶する。
【００１７】
入力回路１６は、ユーザから操作指示を取得する回路であり、例えば、リモコン４から送信されてくる赤外線を受光する赤外線受光回路である。
【００１８】
制御回路１５は、複数の調光調色モードから選択された調光調色モードの明るさと色温度とを再現する制御をする回路であり、例えば、プログラムを内蔵したマイクロコンピュータ等である。具体的には、制御回路１５は、入力回路１６で取得された操作指示が記憶部１７に記憶されている複数の調光調色モードのいずれかの選択である場合には、選択された調光調色モードの設定値を記憶部１７から読み出す。そして、読み出した設定値に対応する明るさ及び色温度の合成光が複数の光源１４ａ及び１４ｂから発せられるように、電流供給回路１２（より詳しくは、ＤＣ−ＤＣコンバータ）を制御する。なお、制御回路１５は、リモコン４から入力回路１６を介して与えられる操作指示に従って、記憶部１７に記憶させる調光調色モードの設定値を編集（登録、変更、削除等）する処理も行う。
【００１９】
ここで、制御回路１５は、調光に関する制御として、２種類の制御、つまり、調光連動制御及び調光非連動制御を選択的に行う。
【００２０】
調光連動制御では、制御回路１５は、入力回路１６で取得された操作指示が、選択された調光調色モードでの明るさを変更する調光指示である場合に、次の２つの制御を行う。一つは、記憶部１７に記憶された現在の調光調色モードに対応する明るさの設定値を指示された値である指示値に変更し、変更後の明るさの合成光が複数の光源１４ａ及び１４ｂから発せられるように電流供給回路１２を制御する。もう一つは、記憶部１７に記憶された複数の調光調色モードのうちの現在の調光調色モードを除く他の調光調色モードに切り替えたときに、他の調光調色モードでの合成光の明るさが上記指示値となり、かつ、合成光の色温度が記憶部１７に記憶された他の調光調色モードに対応する色温度となるように、電流供給回路１２を制御する。つまり、調光連動制御では、制御回路１５は、ある調光調色モードにおいて明るさが変更された場合には、他の調光調色モードに切り替えたときに、明るさを変化させない制御を行う。
【００２１】
一方、調光非連動制御では、制御回路１５は、ある調光調色モードにおいて明るさが変更された場合には、その調光調色モードにおける明るさだけを変更し、他の調光調色モードでの明るさを変えることはしない。
【００２２】
また、制御回路１５は、調光調色モードの切り替えに関して、スケジュールモードを有する。スケジュールモードとは、予め設定された調光調色に関するスケジュール（スケジュールデータ）に従って、調光及び調色を自動的に切り替えていく制御である。具体的には、本実施の形態では、一日における時間と調光調色モードとを対応づけたスケジュールデータに従って、制御回路１５が調光調色モードを切り替えていく。スケジュールデータは、リモコン４から入力回路１６を介して与えられる操作指示に従って、制御回路１５によって編集（登録、変更、削除等）される。
【００２３】
本実施の形態では、制御回路１５は、スケジュールモードで動作する場合に、調光連動制御を行い、スケジュールモードで動作しない場合に、調光非連動制御を行う。
【００２４】
つまり、スケジュールモードで動作する場合には、制御回路１５は、ある調光調色モードにおいて明るさが変更された場合には、他の調光調色モードに切り替えたときであっても、切り替え前の明るさを維持する制御を行う。ただし、調光非連動制御も行えることを確保するために、記憶部１７における他の調光調色モードに対応する明るさの設定値を変更することはしないで、そのまま保存しておく。つまり、制御回路１５は、記憶部１７に記憶されている他（切り替え後）の調光調色モードに対応する明るさの設定値を変更することなく、他（切り替え後）の調光調色モードでの合成光の明るさが上記指示値となるように電流供給回路１２を制御する。
【００２５】
一方、スケジュールモードで動作しない場合には、制御回路１５は、ある調光調色モードにおいて明るさが変更された場合には、その調光調色モードにおける明るさだけを変更し、他の調光調色モードでの明るさを変えることはしない。つまり、制御回路１５は、入力回路１６で取得された操作指示が複数の調光調色モードのいずれかの選択である場合に、選択された調光調色モードに対応する設定値を記憶部１７から読み出す。そして、読み出した設定値に対応する明るさと色温度の合成光が複数の光源１４ａ及び１４ｂから発せられるように電流供給回路１２を制御する。
【００２６】
図３は、図２に示された記憶部１７に格納されるデータの例を示す図である。図３の（ａ）は、調光調色モード記憶テーブル１７ａに格納されるデータ例を示す。調光調色モード記憶テーブル１７ａは、調光調色モードに対応づけた、光源１４ａ及び１４ｂによる合成光の明るさ及び色温度のそれぞれの設定値の組み合わせを記憶するテーブルである。調光調色モード（「Ｎｏ．」）ごとに、調光調色モードの「名前」、「明るさ」（明るさの設定値）、「色温度」（色温度の設定値）が格納される。なお、調光調色モード記憶テーブル１７ａの編集（登録、変更、削除等）は、リモコン４から入力回路１６を介して与えられる操作指示に従って、制御回路１５により、行われる。なお、調光調色モード記憶テーブル１７ａにおける「明るさ」（明るさの設定値）は、光源１４ａ及び１４ｂによる合成光のフル点灯時の明るさを１００％とする明るさである。
【００２７】
図３の（ｂ）は、スケジュールモードフラグ１７ｂのデータ例を示す。スケジュールモードフラグ１７ｂは、リモコン４から入力回路１６を介して与えられる操作指示に従って、制御回路１５によって、ＯＮ（１）又はＯＦＦ（０）にセットされる。具体的には、操作指示によってスケジュールモードが選択（実行）された場合に、ＯＮ（１）にセットされ、スケジュールモードが解除された場合に、ＯＦＦ（０）にセットされる。
【００２８】
図３の（ｃ）は、スケジュールデータ１７ｃの例を示す。スケジュールデータ１７ｃは、一日における時間と調光調色モードとを対応づけたデータである。図３の（ｃ）に示された例では、一日において、０時に、調光調色モードのＮｏ．１に設定し、１９：００に、調光調色モードのＮｏ．２に切り替え、２２：００に、調光調色モードのＮｏ．３に切り替えるスケジュールとなっている。スケジュールデータ１７ｃは、リモコン４から入力回路１６を介して与えられる操作指示に従って、制御回路１５によって編集（登録、変更、削除等）される。
【００２９】
次に、以上のように構成された本実施の形態における照明器具１０の動作について、説明する。
【００３０】
図４は、スケジュールモードの切り替えに関する照明器具１０の動作を示すフローチャートである。
【００３１】
制御回路１５は、調光に関する制御をする際には、記憶部１７に記憶されたスケジュールモードフラグ１７ｂを参照し（Ｓ１０）、スケジュールモードフラグ１７ｂがＯＮであれば（Ｓ１０でＹｅｓ）、調光連動制御によって調光に関する制御を行う（Ｓ１１）。一方、スケジュールモードフラグ１７ｂがＯＦＦであれば（Ｓ１０でＮｏ）、制御回路１５は、調光非連動制御によって調光に関する制御を行う（Ｓ１２）。なお、スケジュールモードフラグ１７ｂは、リモコン４から入力回路１６を介して与えられる操作指示によってスケジュールモードが選択（実行）されているか否かによって、制御回路１５によって、ＯＮ又はＯＦＦにセットされる。
【００３２】
図５は、図４における調光非連動制御（Ｓ１２）の詳細を示すフローチャートである。
【００３３】
調光非連動制御では、制御回路１５は、入力回路１６で取得された操作指示が記憶部１７に記憶されている複数の調光調色モードのいずれかの選択であるか否かを監視している（Ｓ２０）。複数の調光調色モードのいずれかが選択された場合には（Ｓ２０でＹｅｓ）、制御回路１５は、選択された調光調色モードの設定値（明るさ及び色温度）を記憶部１７から読み出す（Ｓ２１）。そして、制御回路１５は、読み出した設定値に対応する明るさ及び色温度の合成光が複数の光源１４ａ及び１４ｂから発せられるように、電流供給回路１２（より詳しくは、ＤＣ−ＤＣコンバータ）を制御する（Ｓ２２）。
【００３４】
例えば、図３の（ａ）に示される調光調色モード（Ｎｏ．1〜Ｎｏ．３）のうち、調光調色モードＮｏ．1が指定されたとする。すると、制御回路１５は、指定された調光調色モードＮｏ．1の設定値（明るさが８０％、色温度が５５００Ｋ）を記憶部１７から読み出し、読み出した設定値に基づいて電流供給回路１２を制御する。つまり、制御回路１５は、光源１４ａ及び１４ｂによる合成光の明るさが８０％となり、色温度が５５００Ｋとなるように、電流供給回路１２に対して、調光レベル、及び、電流比を指示する。ここで、調光レベルは、光源１４ａ及び１４ｂに流す電流の合計に対応する値である。電流比は、光源１４ａに流す電流と光源１４ｂに流す電流との比に対応する値である。なお、合成光の明るさ（%）と調光レベルとの関係、及び、合成光の色温度（Ｋ）と電流比との関係は、予め定められ、記憶部１７等に記憶されている。制御回路１５は、それらの関係を参照することで、指定された調光調色モードに対応する合成光の明るさと色温度とを実現するための調光レベルと電流比とを特定し、電流供給回路１２に指示する。
【００３５】
図６は、図４における調光連動制御（Ｓ１１）の詳細を示すフローチャートである。
【００３６】
調光連動制御では、制御回路１５は、入力回路１６で取得された操作指示が、選択された調光調色モードでの明るさを変更する調光指示であるか否かを監視している（Ｓ３０）。
【００３７】
その結果、明るさを変更する調光指示が行われた場合には（Ｓ３０でＹｅｓ）、制御回路１５は、記憶部１７における現在の調光調色モードに対応する明るさの設定値を指示値に変更し、変更後の明るさを実現するように電流供給回路１２を制御する（Ｓ３１）。続いて、制御回路１５は、スケジュールデータ１７ｃに従って現在の調光調色モードから他の調光調色モードに切り替える場合には、記憶部１７から、切り替え後の調光調色モードに対応する色温度だけを読み出す（Ｓ３２）。そして、制御回路１５は、切り替え前の調光調色モードでの明るさを変えることなく、色温度だけが切り替え後の調光調色モードでの色温度に切り替わるように、電流供給回路１２を制御する（Ｓ３４）。
【００３８】
一方、明るさを変更する調光指示が行われない場合には（Ｓ３０でＮｏ）、制御回路１５は、スケジュールデータ１７ｃに従って現在の調光調色モードから他の調光調色モードに切り替えるときに、調光非連動制御と同様の制御を行う（Ｓ３２、Ｓ３３）。つまり、制御回路１５は、切り替え後の調光調色モードの設定値（明るさと色温度）を記憶部１７から読み出し（Ｓ３３）、読み出した設定値に対応する明るさと色温度の合成光が光源１４ａ及び１４ｂから発せられるように、電流供給回路１２を制御する（Ｓ３４）。
【００３９】
図７は、図６に示された調光連動制御の具体例を示す図である。ここでは、説明の便宜のために、従来の照明器具による制御（図７の（ａ）及び（ｂ））と本実施の形態における照明器具１０による制御（図７の（ｃ）及び（ｄ））を比較するように、図示されている。
【００４０】
図７の（ａ）は、従来の照明器具における各調光調色モードでの光源の明るさと色温度とを示している。縦軸は明るさを示し、横軸は色温度（ただし、右に向かって色温度が減少する方向）を示す。ここでは、３種類の調光調色モードとして、白色モード、勉強モード、及び、電球色モードが設定され、各調光調色モードでは、独自の明るさと色温度とが再現されることが示されている。
【００４１】
図７の（ｂ）は、従来の照明器具においてスケジュールモードで調光調色モードが遷移した場合の光源の明るさ及び色温度の変化を示す。縦軸は明るさを示し、横軸は時刻を示し、濃淡は色温度を示す。ここでは、時間の経過に従って、白色モード、勉強モード、及び、電球色モードの順に、独立して設定された明るさ及び色温度の調光調色モードが遷移していくスケジュールが示されている。
【００４２】
図７の（ａ）及び（ｂ）に示されるように、従来の照明器具では、いずれかの調光調色モードで明るさを適切に調整した場合であっても、スケジュールモードで調光調色モードが切り替わった場合には、切り替わり後の調光調色モードの明るさに変わってしまう。そのために、いずれかの調光調色モードで明るさを調整した場合には、他の全ての調光調色モードの明るさを揃える調整が必要とされる。
【００４３】
図７の（ｃ）は、本実施の形態の照明器具１０による調光連動制御における各調光調色モードでの明るさと色温度とを示している。縦軸及び横軸は図７の（ａ）と同様である。ここでは、３種類の調光調色モードとして、白色モード、勉強モード、及び、電球色モードが示されているが、ここでは、いずれかの調光調色モードで明るさが変更されたために、全ての調光調色モードでの明るさが同一になる様子が示されている。
【００４４】
図７の（ｄ）は、本実施の形態の照明器具１０においてスケジュールモードで調光調色モードが遷移した場合の光源の明るさ及び色温度の変化を示す。縦軸、横軸及び濃淡は図７の（ｂ）と同様である。ここでは、時間の経過に従って、白色モード、勉強モード、及び、電球色モードの順に調光調色モードが遷移しているが、明るさについては、調光調色モードが切り替わっても変化しない様子が示されている。
【００４５】
図７の（ｃ）及び（ｄ）に示されるように、本実施の形態の照明器具１０では、いずれかの調光調色モードで明るさを調整した場合には、スケジュールモードで調光調色モードが切り替わっても、色温度だけが変化し、明るさは変化しない。よって、一旦、明るさを適切に調整した場合には、スケジュールモードで調光調色モードが切り替わっても、いきなり暗くなったり明るくなったりすることがなく、照明器具１０が設置された住空間を快適にできる。
【００４６】
以上のように、本実施の形態における照明器具１０は、光源１４ａ及び１４ｂと、電流供給回路１２と、記憶部１７と、入力回路１６と、制御回路１５とを備える。光源１４ａ及び１４ｂは、互いに異なる色を発光する。電流供給回路１２は、複数の光源１４ａ及び１４ｂに電流を供給する。記憶部１７は、複数の光源１４ａ及び１４ｂによる合成光の明るさ及び色温度のそれぞれの設定値の組み合わせを、調光調色モードと対応づけて、複数、記憶している。入力回路１６は、操作指示を取得する。制御回路１５は、入力回路１６で取得された操作指示が記憶部１７に記憶されている複数の調光調色モードのいずれかの選択である場合には、選択された調光調色モードの設定値を記憶部１７から読み出し、読み出した設定値に対応する明るさ及び色温度の合成光が複数の光源１４ａ及び１４ｂから発せられるように、電流供給回路１２を制御する。制御回路１５はさらに、入力回路１６で取得された操作指示が、選択された調光調色モードでの明るさを変更する調光指示である場合には、次の処理を行う。一つは、記憶部１７に記憶された当該調光調色モードに対応する明るさの設定値を指示された値である指示値に変更し、変更後の明るさの合成光が複数の光源１４ａ及び１４ｂから発せられるように電流供給回路１２を制御する。もう一つは、記憶部１７に記憶された複数の調光調色モードのうちの当該調光調色モードを除く他の調光調色モードに切り替えたときに、他の調光調色モードでの合成光の明るさが指示値となり、かつ、合成光の色温度が記憶部１７に記憶された他の調光調色モードの色温度となるように、電流供給回路１２を制御する調光連動制御を行う。
【００４７】
これにより、ある調光調色モードで明るさが変更された場合には、他の調光調色モードに切り替わったときであっても、切り替え後の調光調色モードでの色温度だけが再現され、明るさは変化することなく、同じ明るさが維持される。よって、ある調光調色モードで明るさを適切に調整した場合に、調光調色モードが切り替わった際に明るさが変わり、不快に感じるということが回避される。また、他の調光調色モードでの明るさの設定値を同じように調整する煩わしい操作が不要となる。
【００４８】
ここで、制御回路１５は、予め定められたスケジュールに従って複数の調光調色モードを順に切り替えていくスケジュールモードを有し、スケジュールモードで動作する場合に、調光連動制御を行う。
【００４９】
これにより、スケジュールモードで調光調色モードが自動で切り替わる場合に、調光連動制御により、明るさが変化してしまうことが抑制されるので、いきなり暗くなったり、明るくなったりすることがなく、住空間を快適にできる。
【００５０】
また、制御回路１５は、スケジュールモードで動作しているときには、記憶部１７に記憶されている他の調光調色モードに対応する明るさの設定値を変更することなく、他の調光調色モードでの合成光の明るさが指示値となるように電流供給回路１２を制御する。そして、制御回路１５は、スケジュールモードとは異なるモードで動作しているときには、入力回路１６で取得された操作指示が複数の調光調色モードのいずれかの選択である場合に、選択された調光調色モードの設定値を記憶部１７から読み出し、読み出した設定値に対応する明るさと色温度の合成光が複数の光源１４ａ及び１４ｂから発せられるように電流供給回路１２を制御する。
【００５１】
これにより、制御回路１５は、スケジュールモードで動作している場合に、調光連動制御を行い、スケジュールモードで動作していない場合に、調光非連動制御を行う。よって、スケジュールモードか否かによって、調光調色モードが切り替わった場合に、明るさを変化させない調光連動制御と、予め記憶された設定値に従って明るさを変化させる調光非連動制御とが切り替えられ、多様な用途に対応できる。
【００５２】
以上、本発明に係る照明器具について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００５３】
例えば、上記実施の形態では、スケジュールモードが選択された場合に調光連動制御が行われ、スケジュールモードが選択されない場合に調光非連動制御が行われたが、このような制御に限定されない。スケジュールモードの選択の有無に拘わらず、調光連動制御が行われてもよいし、スケジュールモードとは無関係に（他の操作指示等により）、調光連動制御のオンオフが切り替えられてもよい。調光連動制御が行われる限り、明るさを調整したときに煩わしい操作を強いられることが回避されるからである。
【００５４】
また、上記実施の形態では、調光連動制御は、明るさが変更された調光調色モードを除く他の調光調色モードに対応する明るさの設定値（記憶部１７に記憶された値）を変更することなく、実現されたが、他の調光調色モードに対応する設定値を変更してもよい。つまり、ある調光調色モードにおいて明るさが指示値に変更された場合には、現在の調光調色モードだけでなく、他の調光調色モードについても、記憶部１７に記憶された設定値を指示値に変更してもよい。これによって、スケジュールモードか否かに拘わらず、一つの調光調色モードで変更された明るさが他の全ての調光調色モードに自動的に反映され、記憶される。
【００５５】
また、上記実施の形態では、光源１４ａ及び１４ｂは、ＬＥＤであったが、有機ＥＬ（ｅｌｅｃｔｒｏｌｕｍｉｎｅｓｃｅｎｃｅ）等の他の固体発光デバイスであってもよい。
【符号の説明】
【００５６】
１０  照明器具
１２  電流供給回路
１４ａ  光源
１４ｂ  光源
１５  制御回路
１６  入力回路
１７  記憶部
【図１】
2017004623.tif 000003
【図２】
2017004623.tif 000004
【図３】
2017004623.tif 000005
【図４】
2017004623.tif 000006
【図５】
2017004623.tif 000007
【図６】
2017004623.tif 000008
【図７】
2017004623.tif 000009